(57)【特許請求の範囲】
【請求項１】
ヒンジ構造により開閉可能に連結されたカンとベロとを備え、前記カンと前記ベロとの間に布部材の縁部を挟持する布部材留め具において、
前記ベロは、
頭部と首部とを有する、前記カンに係止される係合凸部と、
根元側の折り返された部分である折返し部と、
根元側の端部に形成された返し爪と、を備え、
前記カンは、
挿入される前記係合凸部を係止するための係止用穴であって、前記ヒンジ構造のベロ開閉軸に垂直な長手方向に連続してつながって形成された、前記頭部及び前記首部が通過可能な根元側の挿入用幅広穴と、前記首部のみが通過可能な先端側の係止用幅狭穴と、から構成される係止用穴と、
根元部分に形成された二つのヒンジ用穴であって、前記ベロの前記折返し部が連続して通されることで、前記ベロが前記カンに対して開閉可能に連結される二つのヒンジ用穴と、を備え、
さらに、根元側の横方向に延在するストッパーヒンジ軸を有する開閉ストッパーであって、前記ストッパーヒンジ軸が前記ベロの前記折返し部に前記カンの二つの前記ヒンジ用穴の間で巻かれることで、前記カンに対してヒンジ構造により開閉可能に連結されると共に、前記カンに対して閉じられた状態で前記係止用穴の前記挿入用幅広穴を覆うように構成され、前記カンに対して閉じられると、前記係止用幅狭穴において前記カンに係止された前記ベロの前記係合凸部が前記幅広挿入穴へと移動するのを阻止する開閉ストッパーを備えることを特徴とする布部材留め具。
【請求項２】
前記開閉ストッパーを前記カンに対して閉じた状態で係止して固定するための係止機構をさらに備えることを特徴とする請求項１記載の布部材留め具。
【請求項３】
前記係止機構は、前記開閉ストッパーが閉じた状態で、前記開閉ストッパーの先端が、前記カンの前記係止用幅狭穴に位置する前記ベロの前記係合凸部の根元側の側面に、当該係合凸部を先端側に押しながら当接するように構成することで実現されていることを特徴とする請求項２記載の布部材留め具。
【請求項４】
前記係止機構は、前記開閉ストッパーの先端に設けられたストッパー突起と、前記ベロの前記係合凸部の根元側の側面に設けられた、前記ストッパー突起が嵌まり込む係止切欠とを備えることを特徴とする請求項３記載の布部材留め具。
【発明の詳細な説明】
【技術分野】
【０００１】
本発明は、脚に装着された長靴下等の布部材の縁部を挟んで留めるための布部材留め具に関する。
【背景技術】
【０００２】
従来から、脚に装着されたガーターストッキング等の長靴下がずり落ちるのを防ぐために、長靴下の上端開口の縁部を挟んで吊り上げるガーターベルト等の長靴下吊り具が提供されており、例えば、下記特許文献１に開示されている。
【０００３】
特許文献１に開示された長靴下吊り具では、長靴下の上端を挟んで留めるための長靴下留め具としてガーターボストン（係止具９）が採用されている。また、下記特許文献２にも長靴下留め具が開示されている。
【先行技術文献】
【特許文献】
【０００４】
【特許文献１】特開２００３−２２７００３号公報
【特許文献２】特開２００３−１９３３１５号公報
【発明の概要】
【発明が解決しようとする課題】
【０００５】
しかし、従来の長靴下留め具は、長靴下を吊り上げるために、長靴下の上端を係止したカンとベロとの間に挟んで留めるだけの構造であるため、カンとベロとの係止が外れると、留め具が完全に外れてしまい、安定的に吊り上げるのが困難であった。
【０００６】
本発明は、このような課題に鑑みてなされたものであり、布部材の縁部を安定して留めることのできる布部材留め具を提供することを目的とする。
【課題を解決するための手段】
【０００７】
上記課題を解決するための本発明に係る布部材留め具は、ヒンジ構造により開閉可能に連結されたカンとベロとを備え、前記カンと前記ベロとの間に布部材の縁部を挟持する布部材留め具において、前記ベロは、頭部と首部とを有する、前記カンに係止される係合凸部と、根元側の折り返された部分である折返し部と、根元側の端部に形成された返し爪と、を備え、前記カンは、挿入される前記係合凸部を係止するための係止用穴であって、前記ヒンジ構造のベロ開閉軸に垂直な長手方向に連続してつながって形成された、前記頭部及び前記首部が通過可能な根元側の挿入用幅広穴と、前記首部のみが通過可能な先端側の係止用幅狭穴と、から構成される係止用穴と、根元部分に形成された二つのヒンジ用穴であって、前記ベロの前記折返し部が連続して通されることで、前記ベロが前記カンに対して開閉可能に連結される二つのヒンジ用穴と、を備え、さらに、根元側の横方向に延在するストッパーヒンジ軸を有する開閉ストッパーであって、前記ストッパーヒンジ軸が前記ベロの前記折返し部に前記カンの二つの前記ヒンジ用穴の間で巻かれることで、前記カンに対してヒンジ構造により開閉可能に連結されると共に、前記カンに対して閉じられた状態で前記係止用穴の前記挿入用幅広穴を覆うように構成され、前記カンに対して閉じられると、前記係止用幅狭穴において前記カンに係止された前記ベロの前記係合凸部が前記幅広挿入穴へと移動するのを阻止する開閉ストッパーを備えることを特徴とする。
【発明の効果】
【０００８】
本発明に係る布部材留め具によれば、開閉ストッパーを閉じることでカンに対してベロが外れるのを阻止することができ、布部材の縁部を安定して留めることができる。
【図面の簡単な説明】
【０００９】
【図１】図１は、本発明の実施形態に係るガーターボストンの斜視図である。
【図２】図２は、本発明の実施形態に係るガーターボストンの側面図である。
【図３】図３は、本発明の実施形態に係るカンの正面図である。
【図４】図４は、本発明の実施形態に係る開閉ストッパーの構成を示す図である。
【図５】図５は、本発明の実施形態に係るベロの構成を示す図である。
【図６】図６は、本発明の実施形態に係るガーターボストンの使用態様を示す図である。
【図７】図７は、本発明の実施形態の変形例１に係る開閉ストッパーの正面図である。
【発明を実施するための形態】
【００１０】
以下、図面を参照しながら本発明の実施形態について説明する。本実施形態では、布部材留め具として、脚に装着されたガーターストッキングがずり落ちるのを防ぐために、ガーターストッキングの上端開口の縁部を留めるガーターボストンについて説明する。図１は、本実施形態に係るガーターボストンの開いた状態の斜視図である。図２は、本実施形態に係るガーターボストンの閉じた状態の側面図である。
【００１１】
図３は、本実施形態に係るカンの正面図である。図４は、本実施形態に係る開閉ストッパーの構成を示す図であり、図４（ａ）は正面図、図４（ｂ）は側面図である。図５は、本実施形態に係るベロの構成を示す図であり、図５（ａ）は正面図、図５（ｂ）は側面図である。図６は、本実施形態に係るガーターボストンの使用態様を示す図である。
【００１２】
ガーターボストン１は、カン１０と、ヒンジ構造によってカン１０に連結された開閉ストッパー２０と、同じくヒンジ構造によってカン１０に連結されたベロ３０とを備える。ガーターボストン１は、カン１０、開閉ストッパー２０及びベロ３０が重なり合って閉じた状態と、カン１０を真ん中にしてカン１０に対して開閉ストッパー２０とベロ３０とがそれぞれ所定の角度で逆方向に開いた状態との間で開閉自在である。
【００１３】
また、開閉ストッパー２０及びベロ３０は、それぞれ独立してカン１０に対して開閉自在であり、開閉ストッパー２０の開閉軸をストッパー開閉軸、ベロ３０の開閉軸をベロ開閉軸とする。ストッパー開閉軸とベロ開閉軸は平行であり、互いに近傍に位置している。また、本実施形態では、カン１０の長手方向を縦方向、ストッパー開閉軸及びベロ開閉軸方向を横方向とし、縦方向において、開閉軸側を根元側、開閉先端側を先端側とする。
【００１４】
カン１０は、周枠１１と、横桿１２と、ヒンジ軸１４とを備えている。周枠１１の内部には、周枠１１と横桿１２とにより囲まれた、後述するベロ３０の係合凸部３２を係止するための係止用穴１３が形成されている。係止用穴１３は、根元側に位置する挿入用幅広穴１３ａと、先端側に位置する係止用幅狭穴１３ｂとから構成されており、両者は連続してつながって一つの穴（係止用穴１３）を構成している。
【００１５】
ヒンジ軸１４は、横桿１２の根元側において、周枠１１に対して横方向に一体に設置された棒状部材である。横桿１２と、ヒンジ軸１４と、周枠１１の根元部分とによって囲まれた二つの穴は、後述するベロ３０のヒンジ部３７がカン１０に係合するために通されるヒンジ用穴１５として機能する。なお、周枠１１、横桿１２及びヒンジ軸１４は、金属製であり、一体に形成されると共に、表面には合成樹脂がコーティングされている。
【００１６】
開閉ストッパー２０は、カン１に対して閉じることで、ベロ３０が開くのを阻止する合成樹脂製のストッパーであり、後述するベロ３０の折返し部３９によって、カン１０の根元部分に対してヒンジ構造で開閉自在に連結されている。開閉ストッパー２０は、略長方形状の板であり、根元部分には、後述するベロ３０のヒンジ部３７が通される、横方向に延在する長穴であるヒンジ用穴２１が形成されている。
【００１７】
ベロ３０のヒンジ部３７がヒンジ用穴２１に通されると、ヒンジ部３７によって囲まれた、ヒンジ用穴２１の根元側に位置する横方向に延在する部分がヒンジ軸２２として機能し、開閉ストッパー２０がカン１０に対して開閉自在となる。
【００１８】
ここで、開閉ストッパー２０のサイズは、横方向の幅が略カン１０と同じであり、縦方向の長さは、閉じた際に開閉ストッパー２０の先端が、カン１０の挿入用幅広穴１３ａの先端よりも若干根元側に位置すると共に、後述するように閉じているベロ３０の係合凸部３２の根元側の側面にちょうど当接する程度の長さである。よって、閉じた状態の開閉ストッパー２０は、カン１０の挿入用幅広穴１３ａの大部分を覆う形状及びサイズである。
【００１９】
なお、開閉ストッパー２０の先端には、後述するベロ３０の係合凸部３２の根元側の側面に形成された係止切欠３４１に嵌まり込むストッパー突起２５が形成されている。また、開閉ストッパー２０の両側面には、閉じた状態の開閉ストッパー２０を開く際に爪を引っ掛けるための引っ掛け凹部２６が形成されている。
【００２０】
ベロ３０は、カン１０と略同じ大きさの合成樹脂製の部材であり、可撓性の帯状片３１と、帯状片３１の先端近傍のカン１０側の面上に形成された係合凸部３２と、帯状片３１の根元部分に形成されたヒンジ部３７とを備えている。
【００２１】
係合凸部３２は、カン１０の係止用穴１３に挿入されて係合する部分であり、先端側に位置する略円筒状で大径の頭部３３と、根元側（帯状片３１側）に位置する略円筒状で小径の首部３４とを備えている。頭部３３は、カン１０の挿入用幅広穴１３ａを通過可能であるが、係止用幅狭穴１３ｂを通過できない形状・サイズであり、首部３４は、挿入用幅広穴１３ａ及び係止用幅狭穴１３ｂの双方を通過できる形状・サイズである。
【００２２】
また、係合凸部３２の根元側の側面では、首部３４の部分がくびれておらず、頭部３３と首部３４の側面が同一平面上に位置している（図５（ｂ）等参照）。さらに、係合凸部３２の根元側の側面には、頭部３３から首部３４にかけて先端側に向けて切り込まれた係止切欠３４１が形成されている。
【００２３】
ヒンジ部３７は、ヒンジ構造によるカン１０との連結を実現するためにベロ３０の根元側端部に形成された部分であり、帯状片３１が折り返された部分である折返し部３９と、根元側端部に形成された突起である返し爪３８を備えている。
【００２４】
カン１０と開閉ストッパー２０とベロ３０とを連結する際には、ヒンジ部３７をカン１０のヒンジ用穴１５ａに通し、さらに開閉ストッパー２０のヒンジ用穴２１に通した後に、端部の返し爪３８をヒンジ用穴１５ｂに続けて挿入する。そうすると、返し爪３８がカン１０の横桿１２等に引っ掛かり、ヒンジ部３７がカン１０に対して抜けないように係止される。
【００２５】
これにより、ベロ３０の根元部分のヒンジ部３７が、カン１０の根元部分のヒンジ軸１４及び開閉ストッパー２０の根元部分のヒンジ軸２２の回りを周回して固定される。これにより、ベロ３０は、折返し部３９のヒンジ軸１４近傍の部分をベロ開閉軸（回動軸）として、カン１０に対して開閉自在となる。
【００２６】
また、開閉ストッパー２０のヒンジ軸２２は、カン１０のヒンジ軸１４と一緒にベロ３０の折返し部３９に巻かれることで、カン１０のヒンジ軸１４とベロ３０の折返し部３９との間に挟まれる。この挟まれた空間においてストッパー開閉軸であるヒンジ軸２２が回動することで、開閉ストッパー２０はカン１０に対して開閉自在となる。
【００２７】
このように、本実施形態では、ベロ３０がカン１０に対してヒンジ（リビングヒンジ）構造により開閉自在に連結されると共に、開閉ストッパー２０もカン１０に対してヒンジ構造により開閉自在に連結される。
【００２８】
リビングヒンジ構造により連結されたカン１０とベロ３０とは、ベロ３０の係合凸部３２をカン１０の係止用穴１３に挿入して係止させることで、カン１０に対してベロ３０を閉じた状態で固定することができる。閉じる前に、カン１０とベロ３０との間にガーターストッキングの上端開口の縁部を挟んでおくことで、ガーターボストン１によりガーターストッキング７の縁部を留めることができる（図６参照）。
【００２９】
係合凸部３２を係止用穴１３に挿入する際には、ベロ３０を湾曲させながら係合凸部３２を根元側に移動させ、カン１０の挿入用幅広穴１３ａに頭部３３を斜めに挿入する。このとき、本実施形態では、開閉ストッパー２０がカン１０に対して開閉自在であるため、係合凸部３２を係止用穴１３に挿入する際には、開閉ストッパー２０を開いた状態としておけば、頭部３３を挿入用幅広穴１３ａに容易に挿入することができる。
【００３０】
挿入用幅広穴１３ａに挿入された頭部３３は、係止用幅狭穴１３ｂ内には侵入できないが、首部３４まで挿入用幅広穴１３ａに挿入されると、首部３４は係止用幅狭穴１３ｂ内に進入できる。
【００３１】
このとき、頭部３３は、係止用穴１３を通り抜けてカン１０の反対側に飛び出している。よって、首部３４が係止用幅狭穴１３ｂ内に位置する状態で、係合凸部３２をカン１０の先端側にスライドさせると、係合凸部３２が係止用幅狭穴１３ｂの先端付近まで移動することができる。
【００３２】
係合凸部３２が係止用幅狭穴１３ｂの先端付近まで移動すると、係止用幅狭穴１３ｂ周囲の周枠１１が頭部３３と帯状片３１との間に挟まれているため、係合凸部３２は、スライド方向（長手方向）のみに移動することができ、挿入用幅広穴１３ａまで移動しない限り、係止用穴１３から抜けることはない。
【００３３】
一方、このように閉じた状態で係止されたガーターボストン１を開く際には、係合凸部３２を挿入用幅広穴１３ａまでスライドさせれば、係止用穴１３を貫通した頭部３３を抜くことができる。これにより、係止状態が解除され、ガーターボストン１を開くことができる。
【００３４】
ところで、図２に示すように、係合凸部３２を係止用穴１３に挿入して係止用幅狭穴１３ｂにおいて係止させ、ベロ３０をカン１０に対して閉じた状態で、開閉ストッパー２０をカン１０に重なるように閉じると、開閉ストッパー２０は、カン１０の係止用穴１３の挿入用幅広穴１３ａの大部分を覆う状態となる。
【００３５】
このため、閉じた状態で係止用幅狭穴１３ｂ内に位置するベロ３０の係合凸部３２が挿入用幅広穴１３ａへと移動しようとしても、頭部３３が閉じた開閉ストッパー２０の先端に衝突して移動できない。
【００３６】
開閉ストッパー２０を閉じた状態では、先端のストッパー突起２５がベロ３０の係合凸部３２の根元側の側面に形成された係止切欠３４１に嵌まり込んで、係合凸部３２を先端側に押している。よって、いったん閉じた開閉ストッパー２０は、ストッパー開閉軸回りに容易には開かない。
【００３７】
本実施形態では、開閉ストッパー２０の側面に形成された引っ掛け凹部２６に爪を引っ掛ける等して、開閉ストッパー２０を開く方向に強く引っ張ることで、閉じた開閉ストッパー２０を開くことができる。
【００３８】
このように、閉じた状態の開閉ストッパー２０は、ベロ３０の係合凸部３２が根元側に移動しないように制限するストッパーとして機能し、開閉ストッパー２０が閉じた状態では、係合凸部３２を係止用穴１３から抜くことはできず、閉じたベロ３０を開くことはできない。
【００３９】
なお、開閉ストッパー２０を閉じた状態で係止して固定するための係止機構としては、上述したような開閉ストッパー２０の先端のストッパー突起２５と、ベロ３０の係合凸部３２の根元側に形成された係止切欠３４１との組み合わせ限らず、適宜他の係止機構を採用することができる。
【００４０】
例えば、開閉ストッパー２０の先端のストッパー突起２５とベロ３０の係合凸部３２の係止切欠３４１が無かったとしても、閉じた際に、開閉ストッパー２０の先端が、係止用幅狭穴１３ｂに位置する係合凸部３２の根元側の側面に、当該係合凸部３２を先端側に押しながら当接するように構成すれば、摩擦力により開閉ストッパー２０は容易には開かず、係止機構を実現することができる。
【００４１】
また、開閉ストッパー２０のカン１０側の面の両側部付近にカン１０の周枠１１に引っ掛けるような爪を設置したり、カン１０の周枠１１の側面に突起部を形成すると共に開閉ストッパー２０に当該突起部が嵌まり込む凹部を設けたりすることで、係止機構を実現しても良い。
【００４２】
以上、ガーターボストン１の構成について説明したが、続いて、図６を参照しながら、ガーターボストン１の使用態様について説明する。ガーターボストン１は、腰回りに装着されたガーターベルトに吊り紐９によって吊り下げられた状態で、脚に装着されたガーターストッキングの上端開口縁部を留めることで、ガーターストッキング７を吊り上げるように使用することができる。
【００４３】
ガーターボストン１を装着する際には、ベロ３０が内側（脚側）、カン１０が外側に位置する姿勢で、ガーターストッキング７の上端開口縁部を挟み込み、ベロ３０の係合凸部３２をカン１０の係止用穴１３に挿入して先端側へスライドさせて、ベロ３０を閉じる。
【００４４】
続いて、開閉ストッパー２０を閉じれば、係合凸部３２が根元側にスライドしないように阻止することができ、ベロ３０を閉じた状態で固定することができる。よって、本実施形態によれば、ガーターストッキング７をカン１０とベロ３０との間に強固に挟み込んだ状態で固定することができ、ガーターボストン１が外れたりすることなく、ガーターストッキング７の縁部を安定して留めることができる。
【００４５】
また、ガーターストッキング７を留めた状態のガーターボストン１では、閉じた状態の開閉ストッパー２０が、カン１０の挿入用幅広穴１３ａの部分を覆うカバーとなっている。
【００４６】
従来のガーターボストン１であれば、カン１０とベロ３０との間に挟まれて皺状になったガーターストッキングがカン１０の挿入用幅広穴１３ａから外部に露出して丸見えの状態である。これに対して、本実施形態であれば、開閉ストッパー２０により挿入用幅広穴１３ａを覆うことで、ガーターストッキング７の挟まれた部分を覆い隠すことができる。
【００４７】
さらに、本実施形態では、開閉ストッパー２０が平板であるため、表面側にロゴやデザイン等を容易に印刷することができ、装着時のデザイン性に優れたガーターボストン１を提供することができる。
【００４８】
続いて、本実施形態の変形例１について説明する。本変形例１では、開閉ストッパー２０’の構成が上記実施形態と異なっており、主として異なる構成について説明する。図７は、本変形例１に係る開閉ストッパーの正面図である。
【００４９】
本変形例１に係る開閉ストッパー２０’は、上記実施形態に係る開閉ストッパー２０と比較して、ヒンジ用穴２１の側部に開口２８が形成されており、ヒンジ用穴２１の一部が開放されていることを特徴としている。
【００５０】
このように、ヒンジ用穴２１の側部が開放されていると、ヒンジ軸２２の一端がどこにも接続されない自由端となり、開閉ストッパー２０をカン１０に対して連結する際に、ベロ３０のヒンジ部３７をその先端からヒンジ用穴２１に通さなくても、開口２８の部分からヒンジ部３７をヒンジ用穴２１に挿入することもできる。
【００５１】
以上、本変形例１によれば、上記実施形態と同様の作用効果を奏すると共に、既に連結されているカン１０とベロ３０に対して、後から開閉ストッパー２０を追加で連結したり、開閉ストッパー２０だけを外したりすることを容易に行うことができる。
【００５２】
以上、変形例も含めて本発明の実施形態について説明したが、本発明の実施の形態は上記実施形態に限定されるものではなく、本発明の主旨を逸脱しない範囲内で種々の変形が可能である。例えば、ガーターボストンを構成する部材のサイズや形状等は適宜変更可能である。また、上記実施形態では、ベロとカンとを別材料から別体に構成したが、合成樹脂等の同じ材料から一体に成形しても良い。また、ベロは布製であっても良い。
【００５３】
また、上記実施形態では、布部材留め具であるガーターボストンによって留める対象として、脚に装着されたガーターストッキング（筒状布部材）を例に挙げて説明したが、開口を有する筒状布部材に限らず、種々の布部材の縁部を布部材留め具で留めることができる。
【００５４】
例えば、本発明者が特開２０１０−１５４９９４号公報で開示した筒状布部材であるおむつ用陰茎固定具の開口縁部を留めるためにも、本発明に係る布部材留め具を用いることができる。
【００５５】
また、開閉ストッパーの形状も適宜変更可能であり、横紐を留めるためのエイトカンとして機能するように穴を開けても良いし、板状ではなく、ベロの頭部を覆うような立体的な以上であっても良い。
【符号の説明】
【００５６】
１      ガーターボストン
１０    カン
１１    周枠
１２    横棹
１３    係止用穴
１４    ヒンジ軸
１５    ヒンジ用穴
２０    開閉ストッパー
２１    ヒンジ用穴
２２    ヒンジ軸
２５    ストッパー突起
２６    引っ掛け凹部
３０    ベロ
３１    帯状片
３２    係合凸部
３３    頭部
３４    首部
３４１  係止切欠
３７    ヒンジ部
３８    返し爪
３９    折返し部
７      ガーターストッキング
９      吊り紐
【図１】
0006562349.tif 000002
【図２】
0006562349.tif 000003
【図３】
0006562349.tif 000004
【図４】
0006562349.tif 000005
【図５】
0006562349.tif 000006
【図６】
0006562349.tif 000007
【図７】
0006562349.tif 000008